(57)【要約】【課題】ＯＮ・ＯＦＦ設定手段によって予め定められた時刻に従って差込みプラグの給電状態を制御すること。【解決手段】オンオフ時刻設定装置２２、２３の出力に従ってオンオフ制御を行うオンオフ制御装置２４と、オンオフ制御装置２４の出力に従って送信を行う送信装置２５と、差込みコンセントと差込みプラグとの電気的接続をオンオフ制御するオンオフ制御スイッチ１３と、無線電波を受信する受信装置１４と、前記受信装置の１４受信出力に基づいて自己が指定されたか否かを認識するＩＤ認識装置１５と、前記ＩＤ認識装置１５の認識結果に基づいて前記オンオフ制御スイッチ１３をオンオフ制御するリレー駆動回路１６から構成されている無線式セキュリティ用電源制御装置である。【選択図】図２
2006080592.tif 000002
【特許請求の範囲】
【請求項１】
ＩＤ設定スイッチと前記ＩＤ設定スイッチによりＩＤを設定するＩＤ設定回路と、オン及びオフ時刻を設定するオンオフ時刻設定スイッチと、前記オンオフ時刻設定スイッチの設定に従ってオンオフ時刻設定を行うオンオフ時刻設定装置と前記ＩＤ設定回路の設定に従ったＩＤで、オンオフ時刻設定装置の情報に従ってオンオフ制御を行うオンオフ制御装置とオンオフ制御装置の出力に従って送信を行う送信装置と、送信装置の状態に従い表示部を制御する表示制御装置と商用交流電源が供給される差込みコンセントとオンオフ制御を制御される機器を接続する差込みプラグとの間に設けられて差込みコンセントと差込みプラグとの電気的接続をオンオフ制御するオンオフ制御スイッチと、前記オンオフ制御スイッチ駆動用の情報と自己が指定された否かを識別するための識別情報を持った無線信号を受信する受信装置と、前記受信装置の受信出力に基づいて自己が指定されたか否かを認識する認識手段と、前記認識手段の認識結果に基づいて前記オンオフ制御スイッチをオンオフ制御する駆動回路とを備えていることを特徴とする無線式セキュリティ用電源制御装置。
【請求項２】
オンオフ時刻設定装置に、ある一定の遅れ又は進みを生じさせる時刻ずれ発生回路を設けた請求項１に記載の無線式セキュリティ用電源制御装置。
【請求項３】
オンオフ時刻設定装置に、明暗センサー回路を設けた請求項１に記載の無線式セキュリティ用電源制御装置。
【請求項４】
オンオフ時刻設定装置に、温度センサー回路を設けた請求項１に記載の無線式セキュリティ用電源制御装置。
【発明の詳細な説明】
【技術分野】
【０００１】
本発明は商用交流電源が供給される差込みコンセントと、制御する機器を接続する差込みプラグとの間に設けられて電気的接続を制御する無線式セキュリティ用電源制御装置に関するものである。
【背景技術】
【０００２】
従来、この種の無線式セキュリティ用電源制御装置としては、例えば予め定められた時刻に従った自動制御に対応していないものがあった（特許文献１参照）。
【０００３】
図６及び図７は、特許文献１に記載された従来の無線式セキュリティ用電源制御装置を示すものである。図６は送信部側を示しており、ＩＤ設定スイッチ２０によりＩＤを設定するＩＤ設定回路２１と、オン及びオフ状態設定スイッチ２２，２３によりオンオフを制御するオンオフ制御装置２４と、ＩＤ設定回路２１の設定に従ったＩＤで、オンオフ制御装置２４の出力に従って送信を行う送信装置２５と、送信装置２５の状態に従い表示部２７を制御する表示制御装置２６と、空中線２８により構成される。
【０００４】
図７は受信部側を示しており、商用交流電源が供給される差込みコンセント１１と、制御する機器を接続する差込みプラグ１２と、差込みコンセント１１と差込みプラグ１２とのの間に設けられて電気的接続をオンオフ制御するオンオフ制御スイッチ１３と、オンオフ制御スイッチ駆動用の情報と自己が指定された否かを識別するための識別情報を持った無線電波を受信する受信装置１４と、受信装置１４の受信出力に基づいて自己が指定されたか否かを認識するＩＤ認識装置１５と、ＩＤ認識装置１５の認識結果に基づいてオンオフ制御スイッチ１３をオンオフ制御するリレー駆動回路１６から構成されている。
【０００５】
これによって、受信装置１４で受信した制御信号の識別情報をＩＤ認識装置１５で認識し、自分宛の制御信号であればオン及びオフ状態設定スイッチ２２，２３の状態に従ってリレー駆動回路１６を制御してオンオフ制御スイッチ１３を制御するものである。
【特許文献１】特開平６−２３７４９０号公報
【発明の開示】
【発明が解決しようとする課題】
【０００６】
しかしながら、前記従来の構成では、予め定められた時刻に従った自動制御に対応できないので、留守などの無人状態において、差込みプラグに接続された制御される機器に対する給電状態を制御できないという課題があった。
【０００７】
本発明は、上記従来の課題を解決するもので、予め定められた時刻に従った自動制御に対応した無線式セキュリティ用電源制御装置を提供することを目的とする。
【課題を解決するための手段】
【０００８】
前記従来の課題を解決するために、本発明の無線式セキュリティ用電源制御装置は、ＩＤを設定するＩＤ設定手段と、オン及びオフ状態を設定するオンオフ設定手段と、ＩＤ設定手段の設定に従ったＩＤで、オンオフ設定手段の出力に従ってオンオフ制御を行うオンオフ制御手段とオンオフ制御手段の出力に従って送信を行う送信装置と、送信装置の状態に従い表示部を制御する表示制御装置と、商用交流電源が供給される差込みコンセントとオンオフ制御を制御される機器を接続する差込みプラグとの間に設けられて差込みコンセントと差込みプラグとの電気的接続をオンオフ制御するオンオフ制御スイッチと、前記オンオフ制御スイッチ駆動用の情報と自己が指定された否かを識別するための識別情報を持った無線電波を受信する受信装置と、前記受信装置の受信出力に基づいて自己が指定されたか否かを認識する認識手段と、前記認識手段の認識結果に基づいて前記オンオフ制御スイッチをオンオフ制御する駆動回路から構成されている無線式セキュリティ用電源制御装置である。
【０００９】
これによって、オンオフ設定手段によって予め定められた時刻に従って差込みプラグの給電状態を制御する事を目的とする。
【発明の効果】
【００１０】
本発明の無線式セキュリティ用電源制御装置は、留守時の照明、テレビ、エアコンなどの家電製品の制御をすることにより、あたかも在宅であるかのような状態を提供することができる。
【発明を実施するための最良の形態】
【００１１】
第１の発明は、ＩＤ設定スイッチと前記ＩＤ設定スイッチによりＩＤを設定するＩＤ設定回路と、オン及びオフ時刻を設定するオンオフ時刻設定スイッチと、前記オンオフ時刻設定スイッチの設定に従ってオンオフ時刻設定を行うオンオフ時刻設定装置と前記ＩＤ設定回路の設定に従ったＩＤで、オンオフ時刻設定装置の情報に従ってオンオフ制御を行うオンオフ制御装置とオンオフ制御装置の出力に従って送信を行う送信装置と、送信装置の状態に従い表示部を制御する表示制御装置と商用交流電源が供給される差込みコンセントとオンオフ制御を制御される機器を接続する差込みプラグとの間に設けられて差込みコンセントと差込みプラグとの電気的接続をオンオフ制御するオンオフ制御スイッチと、前記オンオフ制御スイッチ駆動用の情報と自己が指定された否かを識別するための識別情報を持った無線信号を受信する受信装置と、前記受信装置の受信出力に基づいて自己が指定されたか否かを認識する認識手段と、前記認識手段の認識結果に基づいて前記オンオフ制御スイッチをオンオフ制御する駆動回路とを備えていることを特徴とする無線式セキュリティ用電源制御装置である。これにより、留守時の差込みプラグの給電状態をオンオフ時刻設定スイッチの設定に従って制御する事ができる。
【００１２】
第２の発明は、特に第１の発明のオンオフ時刻設定装置に、ある一定の遅れ又は進みを生じさせる時刻ずれ発生回路を設けたものである。これにより連続日の留守時において毎日のオンオフ時刻をずらす事により、電源制御が自動的なものであることの露見を防ぐことができる。
【００１３】
第３の発明は、特に第１の発明のオンオフ時刻設定装置に、明暗センサー回路を設けたものである。これにより屋外の明るさに応じて電源制御を行う事により、電源制御が自動的なものであることの露見を防ぐことができる。
【００１４】
第４の発明は、特に第１の発明のオンオフ時刻設定装置に、温度センサー回路を設けたものである。これにより屋外の気温に応じて電源制御を行う事により、電源制御が自動的なものであることの露見を防ぐことができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における無線式セキュリティ用電源制御装置の受信部のブロック図、図２は同装置の送信部のブロック図を示すものである。
【００１７】
図１において、商用交流電源が供給される差込みコンセント１１とオンオフ制御を制御される機器を接続する差込みプラグ１２との間に設けられて、差込みコンセント１１と差込みプラグ１２との電気的接続をオンオフ制御するオンオフ制御スイッチ１３と、前記オンオフ制御スイッチ駆動用の情報と自己が指定された否かを識別するための識別情報を持った無線信号を受信する受信装置１４と、前記受信装置１４の受信出力に基づいて自己が指定されたか否かを認識するＩＤ認識装置（認識手段）１５と、前記ＩＤ認識装置１５の認識結果に基づいて前記オンオフ制御スイッチ１３をオンオフ制御するリレー駆動回路１６とで構成されている無線式セキュリティ用電源制御装置の受信部である。
【００１８】
図２において、ＩＤ設定スイッチ２０と前記ＩＤ設定スイッチによりＩＤを設定するＩＤ設定回路２１と、オン及びオフ時刻を設定するオンオフ時刻設定スイッチ２２，２３と、前記オンオフ時刻設定スイッチ２２，２３の設定に従ってオンオフ時刻設定を行うオンオフ時刻設定装置２９と前記ＩＤ設定回路２１の設定に従ったＩＤで、オンオフ時刻設定装置２９の情報に従ってオンオフ制御を行うオンオフ制御装置２４とオンオフ制御装置２４の出力に従って送信を行う送信装置２５と、送信装置２５の状態に従い表示部を制御する表示制御装置２６と空中線２８とで構成されている無線式セキュリティ用電源制御装置の送信部である。
【００１９】
以上のように構成された無線式セキュリティ用電源制御装置において、以下その動作、作用を説明する。
【００２０】
まず送信部のＩＤ設定スイッチ２０の状態をＩＤ設定回路２１に入力し送信装置２５から発射される電文のＩＤを設定する。オンオフ時刻設定スイッチ２２，２３によりオンオフ時刻設定装置２９にオン設定時刻と、オフ設定時刻恩を設定する。オンオフ時刻設定装置は設定された時刻になった時点でオンオフの制御信号をオンオフ制御装置２４に入力する。オンオフ制御装置２４の出力に従って、送信装置２５はオンオフの電文をＩＤ設定回路２１によって設定されたＩＤと共に空中線２８から電波を発射する。なお、ＩＤ設定及びオンオフ時刻設定の操作手順は表示制御装置により表示部に表示される。
【００２１】
受信部の空中線１７を介して受信装置１４により受信された電文はＩＤ認識装置１５によりＩＤを認識し送信部に予め割り当てられたＩＤと合致した場合にリレー駆動回路により差込みコンセント１１と差込みプラグ１２の間に設けられたオンオフ制御スイッチを制御する。なお、オンオフ制御スイッチ１３は両切りスイッチとしているが片切りスイッチとしてもよい。
【００２２】
これにより、留守時の差込みプラグの給電状態をオンオフ時刻設定スイッチの設定に従って制御する事ができる。
【００２３】
（実施の形態２）
図３は、本発明の第２の実施の形態における無線式セキュリティ用電源制御装置のブロック図である。
【００２４】
図３は図２に時刻ずれ発生回路３１を加えたものである。図２と同じ番号は同じものを指すので説明は省く。
【００２５】
オンオフ時刻設定装置２９からの出力をある範囲で時刻ずれを発生させてオンオフ制御装置２４を動作させる時刻ずれ発生回路３１とで構成されている。
【００２６】
以上のように構成された無線式セキュリティ用電源制御装置において、以下その動作、作用を説明する。
【００２７】
予め設定された時刻にオンオフ時刻設定装置２９から出力されるオンオフ制御信号を時刻ずれ発生回路３１によりある範囲で時刻ずれを付加してオンオフ制御装置２４に出力する。なお、時刻ずれ発生回路３１による遅延時間は予め設定された範囲のであり、例えば０分から１５分としても良い。
【００２８】
これにより連続日の留守時において毎日のオンオフ時刻をずらす事により、電源制御が自動的なものであることの露見を防ぐことができる。
【００２９】
（実施の形態３）
図４は、本発明の第３の実施の形態における無線式セキュリティ用電源制御装置のブロック図である。
【００３０】
図４は図２に明暗センサー回路４１を加えたものである。図２と同じ番号は同じものを指すので説明は省く。
【００３１】
明暗センサー回路４１と明暗センサー４１の出力で制御されるオンオフ制御装置２４とで構成されている。
【００３２】
以上のように構成された無線式セキュリティ用電源制御装置において、以下その動作、作用を説明する。
【００３３】
まず明暗センサー回路４１により戸外の明暗を検出し、戸外が一定の明るさ又は暗さになった場合に、オンオフ時刻設定装置２９の出力に関わらずオンオフ制御装置２４に対してオフ又はオンを出力する。なお、オンオフ時刻設定装置２９の出力に関わらずとしたが、オンオフ時刻設定装置２９の出力と組み合わせてオンオフ制御装置２４を制御しても良い。
【００３４】
これにより屋外の明るさに応じて電源制御を行う事により、電源制御が自動的なものであることの露見を防ぐことができる。
【００３５】
（実施の形態４）
図５は、本発明の第４の実施の形態における無線式セキュリティ用電源制御装置のブロック図である。
【００３６】
図５は図２に温度センサー回路５１を加えたものである。図２同じ番号は同じものを指すので説明は省く。
【００３７】
温度センサー回路５１と温度センサー回路５１の出力で制御されるオンオフ制御装置２４とで構成されている。
【００３８】
以上のように構成された無線式セキュリティ用電源制御装置において、以下その動作、作用を説明する。
【００３９】
まず温度センサー回路５１により戸外の温度を検出し、戸外が一定の温度になった場合に、オンオフ時刻設定装置２９の出力に関わらずオンオフ制御装置２４に対して出力する。
【００４０】
オンオフ時刻設定装置２９の出力に関わらずとしたが、オンオフ時刻設定装置２９の出力と組み合わせてオンオフ制御装置２４を制御しても良い。
【００４１】
これにより屋外の気温に応じて電源制御を行う事により、電源制御が自動的なものであることの露見を防ぐことができる。
【００４２】
なお、本実施の形態では無線通信で説明したが有線通信であってもよい。また本実施の形態で説明したＩＤ設定回路やオンオフ時刻設定装置、時刻ずれ発生回路などはマイコンやそのプログラムで実現しても良い。
【産業上の利用可能性】
【００４３】
以上のように、本発明における無線式セキュリティ用電源制御装置は、留守時の照明、テレビ、エアコンなどの家電製品の制御をすることにより、あたかも在宅であるかのような状態を提供することができる。また無線式として電波や赤外線を使った電源制御装置も可能である。
【図面の簡単な説明】
【００４４】
【図１】本発明の実施の形態１の受信部のブロック図
【図２】本発明の実施の形態１の送信部のブロック図
【図３】本発明の実施の形態２の送信部のブロック図
【図４】本発明の実施の形態３の送信部のブロック図
【図５】本発明の実施の形態４の送信部のブロック図
【図６】従来の電源制御装置の送信部のブロック図
【図７】従来の電源制御装置の受信部のブロック図
【符号の説明】
【００４５】
１１  商用電源差込みコンセント
１２  差込みプラグ
１３  オンオフ制御スイッチ
１４  受信装置
１５  ＩＤ認識装置（認識手段）
１６  リレー駆動回路（駆動回路）
１７、２８  空中線
２０  ＩＤ設定スイッチ
２１  ＩＤ設定回路
２２、２３  オン設定スイッチ（オンオフ時刻設定スイッチ）
２４  オンオフ制御装置
２５  送信装置
２６  表示制御装置
２７  表示部
２９  オンオフ時刻設定装置
３１  時刻ずれ発生回路
４１  明暗センサー回路
５１  温度センサー回路
【図１】
2006080592.tif 000003
【図２】
2006080592.tif 000004
【図３】
2006080592.tif 000005
【図４】
2006080592.tif 000006
【図５】
2006080592.tif 000007
【図６】
2006080592.tif 000008
【図７】
2006080592.tif 000009